(57)【要約】      （修正有） 【課題】開放型畜舎で脱臭効果がある簡易的な設備であって、畜舎等で発生する塵埃でもフィルターの目詰まりが発生しにくく、悪臭を脱臭する効果に優れた脱臭装置を提供する。 【解決手段】脱臭装置１は、吸い込み口２と排気口３を有する本体４と、本体４内に空気中の塵埃を含む悪臭を吸い込み口２から排気口３に導く風路５を備えると共に、風路５内に送風機６と脱臭用フィルター７とを備え、吸い込み口２には、吸い込み口２から排気口３に導く風路５方向と直交する方向に移動可能な塵埃除去フィルター８を有し、塵埃除去フィルター８の表面側に付着した塵埃を掻き取るように設けられた回転ブラシ９を有する。【選択図】図１
0003205495.tif 000002
【実用新案登録請求の範囲】
【請求項１】
吸い込み口と排気口を有する本体と、該本体内に空気中の塵埃を含む悪臭を前記吸い込み口から前記排気口に導く風路を備えると共に、該風路内に送風機と脱臭用フィルターとを備え、前記吸い込み口には、前記吸い込み口から前記排気口に導く風路方向と直交する方向に移動可能な塵埃除去フィルターを有し、前記塵埃除去フィルターの表面側に付着した塵埃を掻き取るように設けられた回転ブラシを有することを特徴とする脱臭装置。
【考案の詳細な説明】
【技術分野】
【０００１】
本考案は、畜産業で発生する塵埃を効果的に塵埃除去フィルターで取り除き、悪臭を脱臭する脱臭装置に関する。
【背景技術】
【０００２】
近年、畜産業や農業で発生する悪臭が問題となることがある。臭気対策として、畜舎等の床面の清掃や乾燥化に努めて、糞尿の適正な処理を速やかに行うなどの手段を採用しているが改善には至っていない。その他の脱臭手段として、吸着剤により臭気成分を吸着する方法、化学薬剤、酵素、オゾンなどを用いて脱臭を行う方法が検討されている。
【０００３】
特許文献１においては、ウインドレス畜舎内から換気扇で外部に排出された空気の脱臭をするためのウインドレス畜舎用脱臭装置が開示されている。
【０００４】
特許文献２においては、吸気口及び排気口を有して、両口間に空気流通路を形成したケースと、空気流通路中に吸気口側から排気口側に順に設置されたオゾン発生器とオゾン・悪臭成分混合室と、脱臭及び未反応オゾンの分解用触媒層と、ファンを備えた脱臭装置において、触媒層までの吸気側に静電気を帯電させた除去フィルターを取り付けてなる脱臭装置が開示されている。
【特許文献１】特開２００２−３５０９５号公報
【特許文献２】公開実用新案公報平１−１２８８２２号
【考案の開示】
【考案が解決しようとする課題】
【０００５】
特許文献１では、悪臭を脱臭する効果としては特に優れているが、換気用開口部が無く密閉度の高いウインドレス畜舎であるため、設備が大掛かりになってしまい、コストが高くなってしまう。さらに、近年では、多くの換気用開口部（窓等）を有する開放型畜舎での悪臭改善が求められている。
【０００６】
特許文献２では、悪臭を脱臭する効果としては優れているが、静電気を帯電させた除去フィルターでは畜舎等で発生する塵埃でフィルターが目詰まりしてしまい、悪臭を脱臭する効果が低下する恐れがある。
【０００７】
本考案は、かかる技術的背景を鑑みてなされたものであって、開放型畜舎で脱臭効果がある簡易的な設備であって、畜舎等で発生する塵埃でもフィルターの目詰まりが発生しにくく、悪臭を脱臭する効果に優れた脱臭装置を提供することが目的である。
【課題を解決するための手段】
【０００８】
前記目的を達成するために、本考案は以下の手段を提供する。
【０００９】
[１] 吸い込み口と排気口を有する本体と、該本体内に空気中の塵埃を含む悪臭を前記吸い込み口から前記排気口に導く風路を備えると共に、該風路内に送風機と脱臭用フィルターとを備え、前記吸い込み口には、前記吸い込み口から前記排気口に導く風路方向と直交する方向に移動可能な塵埃除去フィルターを有し、前記塵埃除去フィルターの表面側に付着した塵埃を掻き取るように設けられた回転ブラシを有することを特徴とする脱臭装置。
【考案の効果】
【００１０】
吸い込み口と排気口を有する本体と、本体内に空気中の塵埃を含む悪臭を吸い込み口から排気口に導く風路を備えると共に、風路内に送風機と脱臭用フィルターとを備えているから、簡易的な装置であると共に、開放型畜舎等で発生する悪臭を脱臭することができる。また、吸い込み口には、吸い込み口から排気口に導く風路方向と直交する方向に移動可能な塵埃除去フィルターを有し、塵埃除去フィルターの表面側に付着した塵埃を掻き取るように設けられた回転ブラシを有しているから、フィルターの目詰まりに発生しにくく、悪臭を脱臭する効果を持続させることができる脱臭装置を得ることができる。
【図面の簡単な説明】
【００１１】
【図１】本考案に係る脱臭装置の一実施形態を示す図である。
【考案を実施するための最良の形態】
【００１２】
本考案に係る脱臭装置の一実施形態を図面に基づいて説明する。図１に示すように、本実施形態の脱臭装置１は、吸い込み口２と排気口３を有する本体４と、該本体４内に空気中の塵埃を含む悪臭Ａを前記吸い込み口２から前記排気口３に導く風路５を備えると共に、該風路５内に送風機６と脱臭用フィルター７とを備え、前記吸い込み口２には、前記吸い込み口２から前記排気口３に導く風路５方向と直交する方向に移動可能な塵埃除去フィルター８を有し、前記塵埃除去フィルター８の表面側に付着した塵埃を掻き取るように設けられた回転ブラシ９を有することを特徴とする。
【００１３】
前記脱臭装置１は、吸い込み口２と排気口３を有する本体４が必要である。
【００１４】
前記本体４内には、空気中の塵埃を含む悪臭Ａを吸い込み口２から排気口３に導くための風路５が必要である。吸い込んだ悪臭は、吸い込み口２から排気口３に流れていき、前記排気口３から脱臭された空気Ｂとして排出される。
【００１５】
前記風路５内には、送風機６と脱臭フィルター７とを備えていることが必要である。前記風路５内の前記吸い込み口２側に送風機６を備えているので、吸い込んだ外気を排気口３に流すことができる。また、前記風路５内の前記排気口３側に脱臭フィルター７を備えているので、空気中の塵埃を含む悪臭Ａを吸い込み口２から吸い込んで、脱臭した空気Ｂを排気口３から排出することができる。
【００１６】
前記吸い込み口２には、吸い込み口２から排気口３に導く風路５方向と直交する方向に移動可能な塵埃除去フィルター８を有していることが必要である。空気中の塵埃を含む悪臭Ａを吸い込み口２から吸い込んだ際、吸い込み口２に塵埃除去フィルター８が設置されていないと、脱臭フィルター７がすぐ目詰まりしてしまい、悪臭を脱臭する効果が著しく低下してしまうので好ましくない。さらに、塵埃除去フィルター８が吸い込み口２に固定されており移動することができない場合、塵埃除去フィルター８に付着した塵埃を取り除くことができず、すぐ目詰まりしてしまい、悪臭を脱臭する効果が著しく低下してしまうため、好ましくない。よって、塵埃除去フィルター８は移動することが必要である。また、塵埃除去フィルター８の移動する方向としては、吸い込み口２から排気口３に導く風路５方向と直交する方向に移動する必要がある。中でも、吸い込み口２に対して左右方向に移動することがより好ましい。
【００１７】
前記塵埃除去フィルター８の表面側には、前記塵埃除去フィルター８の表面側に付着した塵埃を掻き取るように設けられた回転ブラシ９を有していることが必要である。前記塵埃除去フィルター８が、前記吸い込み口２から排気口３に導く風路５方向と直交する方向に移動することができるので、前記塵埃除去フィルター８の表面側に付着した塵埃を回転ブラシ９で除去することができる。
【００１８】
前記塵埃除去フィルター８の材質としては、特に限定されるものではないが、ステンレス製のメッシュ状の金網が設置されていることが好ましい。
【００１９】
前記塵埃除去フィルター８のメッシュの孔の大きさとしては、特に限定されるものではないが、０．５ｍｍ〜２．０ｍｍであることが好ましい。この大きさであることで、前記塵埃除去フィルター８の表面側で塵埃を付着させることができると共に、さらに、回転ブラシ９を回転させるため、付着した塵埃を前記塵埃除去フィルター８から掻き取ることができる。
【００２０】
前記回転ブラシ９の設置場所としては、特に限定されるものではないが、前記吸い込み口２の両端に２個設置することが好ましい。中でも、前記塵埃除去フィルター８が移動した際に、前記回転ブラシ９が前記塵埃除去フィルター８の長さ方向、すなわち上下方向を覆う形で設置することがより好ましい。この場合、前記塵埃除去フィルター８に付着した塵埃を確実に回転ブラシ９で掻き取ることができる。
【００２１】
前記回転ブラシ９の回転する方向としては、特に限定されるものではないが、前記塵埃除去フィルター８が移動する向きとは、逆向きに回転することがより好ましい。
【００２２】
前記送風機６としては、空気を送ることができるものであれば、特に限定されるものではない。
【００２３】
前記脱臭フィルター７としては、特に限定されるものではないが、例えば、畜舎等で発生して悪臭問題となる硫黄系悪臭、アンモニア臭を脱臭することができる脱臭フィルターであることが好ましい。中でも、硫黄系悪臭を脱臭することができる脱臭フィルターであることがより好ましく、特に、活性炭混抄紙をカチオン化処理した後に、金属フタロシアニン錯体を担持させた脱臭フィルターであることが最も好ましい。
【００２４】
前記排気口３の材質は、特に限定されるものではないが、ステンレス製のメッシュ状の金網が設置されていることが好ましい。
【００２５】
前記排気口３のメッシュの孔の大きさとしては、特に限定されるものではないが、前記吸い込み口２と同様であることが好ましい。
【００２６】
前記本体４の材質は、特に限定されるものではないが、ステンレス製で製造されていることが好ましい。
【実施例】
【００２７】
次に、本考案の具体的実施例について説明するが、本考案はこれら実施例のものに特に限定されるものではない。
【００２８】
＜使用材料＞
（吸い込み口２）幅３００ｍｍ、長さ３００ｍｍ
（排気口３）幅３００ｍｍ、長さ３００ｍｍ、ステンレスメッシュの孔の大きさ１ｍｍ角
（本体４）幅３５０ｍｍ、長さ６００ｍｍ、高さ４２０ｍｍのステンレス製
（風路５）幅３００ｍｍ、長さ５００ｍｍ、高さ４００ｍｍ
（送風機６）有圧換気扇、４１／４９Ｗ、１１４０〜１３２０ｍ３／ｈ
（脱臭フィルター７）
活性炭混抄紙（活性炭の配合量７０重量％、目付量６５ｇ／ｍ２）をコルゲート機によって、波状シートと平面シートが貼り付けされた片段シートを作成した。得られた片段シートを積層し、エチレン−酢酸ビニル樹脂を用いて接着し、乾燥を行った後、幅３００ｍｍ、長さ３００ｍｍ、厚み１００ｍｍのフィルターに裁断した。裁断したフィルターを７．５重量％の３−クロロ−２−ヒドロキシプロピルトリメチルアンモニウムクロライド水溶液に浸漬し、水洗後、乾燥を行った。次に、０．５重量％のスルホこはく酸ジエチルヘキシルナトリウム水溶液及び０．５重量％のコバルトフタロシアニンポリスルホン酸ナトリウム水溶液に浸漬し、水洗後、乾燥を行い、脱臭フィルター７を得た。なお、コルゲートの山高さ２．６ｍｍ、コルゲート間隔（ピッチ）は５．８ｍｍであった。
（塵埃除去フィルター８）幅８００ｍｍ、長さ３３０ｍｍ、ステンレスメッシュの孔の大きさ１ｍｍ角
（回転ブラシ９）直径５０ｍｍ、長さ３５０ｍｍ、ブラシの材質（６−ナイロン）
【００２９】
＜実施例１＞
上記使用材料を用いて、本体４の前面側に吸い込み口２を、本体４の後面側に排気口３を、本体４の中に風路５を備えている本体４を用いて、風路５内の吸い込み口２側に送風機６を、風路５内の排気口３側に脱臭フィルター７を３個設置して、前記吸い込み口２の表面側には塵埃除去フィルター８を設置して、塵埃除去フィルター８の表面側及び前記吸い込み口２の両端の位置に、前記塵埃除去フィルター８の長さ方向を覆うようにして回転ブラシ９を２個設置して、脱臭装置１を得た。
【００３０】
＜比較例１＞
吸い込み口２がない脱臭装置に設定した以外は、実施例１と同様にして、脱臭装置を得た。
【００３１】
＜比較例２＞
排気口３がない設定にした以外は、実施例１と同様にして、脱臭装置を得た。
【００３２】
＜比較例３＞
送風機６がない設定にした以外は、実施例１と同様にして、脱臭装置を得た。
【００３３】
＜比較例４＞
脱臭フィルター７がない設定にした以外は、実施例１と同様にして、脱臭装置を得た。
【００３４】
＜比較例５＞
吸い込み口２に塵埃除去フィルター８がない代わりに、吸い込み口２にステンレスメッシュ製のフィルター（メッシュの孔の大きさが１ｍｍ角）を設定した以外は、実施例１と同様にして、脱臭装置を得た。
【００３５】
＜比較例６＞
回転ブラシ９がない設定にした以外は、実施例１と同様にして、脱臭装置を得た。
【００３６】
上記のようにして得られた脱臭装置に対して、下記評価方法に基づいて評価を行った。
【００３７】
＜脱臭性の評価方法＞
開放型畜舎内で採取した藁や糞等の混合物１０ｋｇをトレイに入れ、脱臭装置１の吸い込み口から１０ｍ離れた位置にセットして、塵埃除去フィルターの移動速度１０００ｍｍ／ｍｉｎ、回転ブラシの回転速度２８回転／分、吸い込み口から吸い込む速度３００ｍ３／ｈで２４０分稼働させた後に、排気口から排出された空気を１０Ｌテドラーバックに５Ｌ採取して、官能評価を実施した。全く臭気を感じられなかったものを「◎」、臭気がほんの僅かな程度感じられたものの実用上問題がないと判断できるものを「〇」、臭気が少し感じられたものを「△」、臭気が目立って感じられたものを「×」とし、「○」以上を合格とした。
【００３８】
＜フィルターの目詰まり評価方法＞
脱臭性評価方法と同条件で試験を行い、塵埃除去フィルターの目詰まり状況を目視で確認し、目詰まりが全く発生しなかったものを「◎」、目詰まりがほんの僅かな程度認められたものの実用上問題がないと判断できるものを「〇」、目詰まりが少し発生したものを「△」、目詰まりが目立って発生したものを「×」とし、「○」以上を合格とした。
【００３９】
本考案の実施例１の脱臭装置１は脱臭性の評価が○であり、フィルターの目詰まりの評価が◎であった。
【００４０】
これに対して、比較例１は、吸い込み口がないので、外気をうまく吸い込むことができず、評価できなかった。比較例２は、排気口がないので、外気をうまく排気することができず、評価できなかった。比較例３は、送風機がないので、排気口に空気を排気することができず、評価できなかった。比較例４は、脱臭フィルターがないので、フィルターの目詰まり評価は◎であったが、脱臭性の評価は×であった。比較例５は、塵埃除去フィルターがないので、フィルターの目詰まり評価が×であり、脱臭性の評価も△であった。比較例６は、回転ブラシがないので、フィルターの目詰まり評価が×であり、脱臭性の評価は△であった。
【産業上の利用可能性】
【００４１】
本考案に係る脱臭装置は、例えば、畜舎等で発生する塵埃を塵埃除去フィルターで付着させ、回転ブラシで付着させた塵埃を塵埃除去フィルターから掻き取ることができると共に、畜舎等で発生する悪臭を脱臭することができる簡易的な脱臭装置として設置することができる。
【符号の説明】
【００４２】
１・・・脱臭装置
２・・・吸い込み口
３・・・排気口
４・・・本体
５・・・風路
６・・・送風機
７・・・脱臭フィルター
８・・・塵埃除去フィルター
９・・・回転ブラシ
Ａ・・・空気中の塵埃を含む悪臭
Ｂ・・・脱臭された空気
【図１】
0003205495.tif 000003